(57)【特許請求の範囲】
【請求項１】
浴液外に配された浴外ローラ群と浴液中に配された浴中ローラ群とを配して、前記浴外ローラと前記浴中ローラとの間に交互に走行速度８００ｍ／分以上で合成繊維束を走行させることによって前記合成繊維束を浴液中へ複数回浸漬して処理するに際して、浴外に引き出される全ての前記合成繊維束に対して強制回転及び／又は自由回転する回転体を接触させ、走行する前記合成繊維束が持上げる浴液を堰き止めることを特徴とする合成繊維束の液中処理方法。
【請求項２】
合成繊維束を液中処理する処理浴と、浴液外に配された浴外ローラ群と、浴液中に配された浴中ローラ群と、浴液中から引き出された前記合成繊維束に接触し且つ強制回転及び／又は自由回転する回転体とを少なくとも備え、前記浴外ローラと前記浴中ローラとの間を交互に走行速度８００ｍ／分以上で走行して浴液中で複数回浸漬処理される合成繊維束に対して、浴外に引き出される前記合成繊維束に対して前記回転体を接触させることを特徴とする合成繊維束の液中処理装置。
【発明の詳細な説明】
【０００１】
【発明の属する技術分野】
本発明は、合成繊維束に対して、浴中において加熱したり、延伸したり、処理剤を付与したり、繊維中に含まれる有機溶媒などを除去したり、あるいは、繊維に付着した処理剤を洗浄したりする浴液処理を施すための方法とそのための装置に関する。
【０００２】
【従来の技術】
合成繊維の製造において、浴中において加熱したり、延伸したり、あるいは、処理剤を付与したりする処理を施すための液中処理が一般に行われている。その際、合成繊維の生産効率を高め、製造原価を低減することは極めて重要な課題であり、このような課題を解決するための手段として、処理する繊維束（以下、この「繊維束」を「糸条」と称することもある）の本数の増加、さらには、繊維束の走行速度を速くするなどの手段が採用されることが多い。
【０００３】
しかしながら、このような手段は、一方では、大幅な設備拡張を伴わず工業的に実施できる利点がある反面、他方では、浴中処理が行われる合成繊維に関しては、大量の繊維束を高速で液中処理するために、浴液が乱され、これによって隣接して走行する繊維束間で単繊維が交絡して、混繊を生じ易くなるという問題がある。
【０００４】
もし、隣接する繊維束が交絡して、このような混繊が生じると、単繊維切れ、さらには、これが酷くなると繊維束切れを引き起こし、得られる繊維の品質低下や、実質的な生産効率の低下を招く。そこで、前述の問題を改善すべく、特開昭６３−１５９５７１号公報において、複数本の合成繊維束を浴中処理するに際して、繊維束の引取ローラを浴液外に設け、さらに、浴中または浴界面に固定ガイドを付設して、このガイドに走行する繊維束を接触させてその幅員を広げることが提案されている。
【０００５】
すなわち、この従来技術においては、引取ローラを浴液外に設けることで、浴中に設けた場合に、浴中引取ローラによって引き起こされる浴液のかく乱による浴液の乱れを防止し、さらに、糸条に随伴する浴液の流れがこの引取ローラによって堰き止められ、これによって浴液が擾乱されるのを防止することが行われている。
【０００６】
さらに、固定ガイドを液中もしくは界面に設けることによって、引取ローラを浴液外に設けたことに起因して繊維束の幅員が減少するのを防止している。すなわち、繊維束を固定ガイドに押し当てることによって、繊維束をしごいて拡幅している。
【０００７】
なるほど、このような方式を採用すれば、隣接する繊維束間での混繊をある程度防止することはできる。しかしながら、その反面、生産効率を高めるという本来の目的を達成するために、糸条の処理本数を増やしたり、糸条の処理速度を速くしたりすると、付設された固定ガイドによって糸条がしごかれて擦過され、これによって損傷を受けて、浴中処理して得られる繊維の品質や性能の低下を誘発すると言った新たな問題を惹起する。
【０００８】
更に、最近において、繊維束の走行速度が８００ｍ／分以上、特に、１０００ｍ／分を越えるような高速で液中処理されるようになってくると、処理液が走行する繊維束に随伴して浴外へ激しく持ち上げられ、この持ち上げられた随伴水が繊維束の走行状態を乱して、その幅員を大きく拡幅し、これによる繊維束間の交絡による混繊の発生という問題も新たに発生するようになってきた。
【０００９】
【発明が解決しようとする課題】
本発明は、上記問題を解決すること、すなわち、合成繊維束の浴中処理において、高速走行する繊維束によって持ち上げられる随伴水の影響を抑制し、これによって、繊維束が互いに交絡して発生する混繊が生じず、しかも、これが原因として発生する単繊維切れを防止し、その上、走行糸条が擦過されることがない品質及び性能のすぐれた合成繊維束を得るための方法とそのための装置を提供することを目的とする。
【００１０】
【課題を解決するための手段】
以上に述べた目的を達成するための本発明として、「浴液外に配された浴外ローラ群と浴液中に配された浴中ローラ群とを配して、前記浴外ローラと前記浴中ローラとの間に交互に走行速度８００ｍ／分以上で合成繊維束を走行させることによって前記合成繊維束を浴液中へ複数回浸漬して処理するに際して、浴外に引き出される全ての前記合成繊維束に対して強制回転及び／又は自由回転する回転体を接触させ、走行する前記合成繊維束が持上げる浴液を堰き止めることを特徴とする合成繊維束の液中処理方法」が提供される。
【００１２】
更に、本発明として、「合成繊維束を液中処理する処理浴と、浴液外に配された浴外ローラ群と、浴液中に配された浴中ローラ群と、浴液中から引き出された前記合成繊維束に接触し且つ強制回転及び／又は自由回転する回転体とを少なくとも備え、前記浴外ローラと前記浴中ローラとの間を交互に走行速度８００ｍ／分以上で走行して浴液中で複数回浸漬処理される合成繊維束に対して、浴外に引き出される前記合成繊維束に対して前記回転体を接触させることを特徴とする合成繊維束の液中処理装置」が提供される。
【００１３】
【発明の実施の形態】
以下、本発明について図面を参照しながら詳細に説明する。なお、図１は、本発明の合成繊維束を浴液中で処理をするための方法とそのための装置を説明するために、その一実施態様を例示した模式説明図である。
【００１４】
前記図１において、参照符号Ｙは浴中処理される合成繊維束、参照符号１は浴外ローラ、参照符号２は浴液中に浸漬された浴中ローラ、参照符号３は強制回転及び／又は自由回転する回転体、参照符号４は浴液（処理液）、参照符号５は空気や窒素などの気体（以下、単に「気体」と称する）、そして、参照符号６は処理液の液面をそれぞれ示す。
【００１５】
以上のように構成される本発明の合成繊維束の液中処理装置において、糸条Ｙは図中に示した矢印の方向へ走行する。したがって、図１の実施態様例においては、走行糸条Ｙは、浴液外の気体５中に配された浴外ローラ群１と、浴液４中に配された浴中ローラ群２とによって、交互に浴中の処理液中へ浸漬されて処理されている。このとき、通常の処理条件においては、一般に、前記浴外ローラ群１と浴中ローラ群２とは図示省略した駆動装置によって強制駆動されている。
【００１６】
その際、本発明においては、「合成繊維束Ｙを浴液中で処理した後、処理した繊維束Ｙを浴外に引き出し、強制回転及び／又は自由回転する回転体３を浴外に引き出した繊維束Ｙに接触させ、走行する繊維束に付随する浴液を除去する」ことを一大特徴とする。
【００１７】
これに対して、「従来技術」の欄で述べた特開昭６３−１５９５７１号公報に記載の技術では、本発明の「強制回転及び／又は自由回転する回転体」に代えて、「固定ガイド」が使用され、しかも、本発明のように回転体３が浴外（すなわち、気体５中）に設けられずに、浴液４中、もしくは、界面６に設けられているという点において、大きく異なっている。
【００１８】
本発明がこのような構成を採る理由としては、先ず第一に、繊維束Ｙを固定ガイドに接触する場合と異なり、強制回転及び／又は自由回転する回転体３を使用することで、この回転体３と接触させても、繊維束Ｙを擦過させること無く、しごくことができることにある。そして、このようなしごき効果によって、浴外に出たために糸条Ｙが持ち上げる随伴水の影響による幅員の大幅な増加を抑制することができるという利点を有する。
【００１９】
次に、生産効率を高めるため処理する糸条数の増加、さらには、糸条の走行速度を大きくした場合、走行する糸条Ｙに付随して浴から急激に持ち上げられる随伴水の影響によって、各浴外ローラ１上と各浴中ローラ２上とを走行する糸条Ｙが拡幅されて、隣接する繊維束Ｙが交絡して単繊維の混繊が発生し、これによって、得られる合成繊維の品質や性能の低下、あるいは、単繊維切れや断糸などの工程調子の不良を誘発していたことは前述の通りである。
【００２０】
したがって、本発明が前述のような構成を採る第２の理由としては、走行する糸条Ｙに付随する随伴水が急激に持ち上げられることによる影響を除くため、前記回転体３を設けることによって、糸条Ｙが浴外へ持ち上げる随伴水をカットすることができることにある。すなわち、前記回転体３は、糸条Ｙに随伴する水を堰き止める役割を果たすのである。
【００２１】
したがって、本発明の回転体３に前記のような役割を担わせるためには、処理液４から出てくる糸条Ｙに対して浴外ローラ１に到達するまでの間に、前記回転体３を気体５中に設けることが好ましく、特に好ましくは浴液面６の近傍に設けることが好ましい。
【００２２】
なお、強制回転及び／又は自由回転する回転体３については、走行する糸条Ｙとの間で発生するスリップを完全に無くすことが好ましい。しかしながら、このスリップを完全に無くすことまでは要求されず、得られる糸条の品質や性能に応じて、糸条が致命的なダメージを受けない範囲内で、ある程度のスリップを許容することができる。つまり、好ましくは、糸条Ｙの走行速度に対して、９０％〜１１０％の速度で、前記回転体３を軽く糸条Ｙに押し付けて接触させることで、走行する糸条Ｙの随伴水の大半をカットしても良い。
【００２３】
その際、本発明に使用する回転体３の直径としては、前記の効果を奏する限り、特に限定する必要は無いが、好ましくは、１０〜２００ｍｍ、特に１５〜６０ｍｍのローラとすることが好ましい。また、このローラを走行している糸条Ｙに押し当てる際の接触力（押付力）としても、本発明の効果が達成される限り、限定する必要は無いが、好ましくは、０．１〜１．０ｋｇｆ、特に、好ましくは０．２ｋｇｆ〜０．３ｋｇｆである。
【００２４】
何故ならば、本発明者の実験によれば、上記の条件を有する回転体３を使用することによって、走行している糸条Ｙに付随する随伴水の９５％以上を除去することが可能となり、その結果として、走行している糸条Ｙの拡幅率も２６０％から１５％以下に抑制できるようになったからである。
【００２５】
【発明の効果】
以上、詳述した通り、合成繊維束を浴中処理するのに際して、回転体３を設けて、これを走行する繊維束Ｙと接触させることによって、繊維束にダメージを及ぼすことなく、浴外へ高速走行する繊維束によって持ち上げられる随伴水を効果的にカットすることができる。
【００２６】
そして、これによって、浴外あるいは浴中ローラ上で繊維束か互いに交絡して発生する混繊を抑制することができ、その結果として、単繊維切れや断糸の発生を防止でき、その上、走行糸条が過度に擦過されることがなくなるため、品質及び性能の優れた合成繊維束を得ることができるというきわめて大きな効果を奏する。
【図面の簡単な説明】
【図１】本発明の合成繊維束の液中処理方法とそのための装置を説明するための一実施例を示した模式説明図である。
【符号の説明】
１  浴外ローラ
２  浴中ローラ
３  回転体
４  処理液
５  気体
６  処理浴の液面
Ｙ  合成繊維束
【図１】
0004342766.tif 000002